(57)【特許請求の範囲】
【請求項１】
上端の中央部より上方に突出させて飲み口部分を設けた容器本体と、
上記飲み口部分を除きかつ、高さ方向の全長に亘って容器本体の内外壁に形成させた水平方向の蛇腹状の襞とよりなり、
該蛇腹状襞の上方数段の外径は、その最上段の径が蛇腹状襞の下方の最大外径より小さく、
以下下方に向うに従い順次径を拡大させて蛇腹状襞の中央および下方の最大外径と同じ径となるように構成し、
上記容器本体の蛇腹状襞部にその上方からの力が加わった際、上方の蛇腹状襞部の内径方向は下方に外径方向は上方に、
下方の蛇腹状部襞の内径方向は上方に、外径方向は上下方に力が働き、上記容器本体の長さが縮小された蛇腹状を保たれるようになしたこと
を特徴とする長さ方向が縮小された状態を保つことが可能な容器。
【発明の詳細な説明】
【０００１】
【発明の属する技術の分野】
本発明はブロー成型方法などで造形されたジュースやミネラルウォーターの容器であって、特に飲み干された時その高さ方向が縮小（容積が縮小）できるようにした容器の改良に関する。
【０００２】
【従来の技術】
合成樹脂ボトルの売り上げは、近年膨大なものになっている。しかし、容器本体内のジュースやミネラルウォーターを飲み干して、該容器本体を破棄する時飲み干す以前の形状の侭であり、これを所謂ゴミ箱に破棄する場合まるで空気をゴミ箱に捨てたような状態ですぐ満杯となり、あげくは路上に放棄される生活環境の悪化させる最大の欠点があり、加えてそれは、飲み干された容器本体の回収費や、清掃の為の人件費は公共事業の大きな負担となっているのである。
【０００３】
またこの種合成樹脂ボトルは、それをブロー成型など手軽な手段で製造できる反面、激しい振動を伴う自動車やその他の搬送手段や、積み重ねられる店頭での展示にあったその強度が未だ充分とは言えないものがあった。
【０００４】
さらにこの事は、容器を製造する業者からジュースやミネラルウォーターを封入する会社に搬送する際も、当該容器本体が嵩ばってまるで空気を搬送しているような状態で、製品の搬送費にかかる割合は相当なものとなっていたのである。
【０００５】
そこで当該容器本体全体を蛇腹状に構成する発明乃至考案が、例えば特開平１１−２７８４８９号，国際公開００／４４６３０号，特開平１０−１５７７３７発明，および実開昭５５−０７２６２７号考案などが知られている。本発明はこれら従来技術を改良したものである。
【０００６】
またこの種発明で本願発明者自身も、特願２０００−２４０３７１（特開２００１−２１３４１８）号をなして商品化し好評を博している。しかして本発明はこの発明を更に改良したものである。
【０００７】
【発明が解決しようとする課題】
総じて本発明の目的は、容器本体内のジュースやミネラルウォーターを飲み干して、該容器本体を破棄する時、その容積を頗る小さくすることが出来るようにしたことであり、従来空の容器本体をゴミ箱に収容しきれなったのに比し、その収容個数を頗る増大させたことである。
【０００８】
このことは同時に、空の容器本体の搬送を同時に多量に成し得るから、その回収費や清掃回収の為の人件費を、頗る軽減させ得うるようにしたことも本発明の目的である。
【０００９】
また、容器を製造する業者からジュースやミネラルウォーターを封入する会社に搬送する際も、一度の搬送量を従来の量との比較において、著しく増大させたことである。
【００１０】
また本発明の目的は上記のように、飲干された容器を破棄する時、あるいは搬送する時、その容積を頗る小さくすることが出来るようにしたことであるが、その状態は容器本体に復元力を与えることなく、長時間，あるいは長期間，若しくは再利用の為の粉砕や溶解などの作業時まで、その縮小された形状を保つようにしたことである。
【００１１】
なお、本発明の容器本体の全体形状は、楕円を含む円柱，矩形を含む角柱，截頭を含む円錐および角錐から適宜選ばれるものであり、同水平断面形状を、楕円を含む丸形，矩形を含む角形から適宜選ばれるようにしたことである。
【００１２】
他に本発明の目的は、容器内容物の案内や商標などが印刷されたレッテルを、巻装したり直接容器本体に印刷等成したりする時、従来のものに比してその面積を大きくすることが出来るようにしたことである。
【００１３】
なお、本発明の容器本体はこれを飲料容器として使用する時、その外観の形状の見栄えがよく、使用する者に多大な興味を持たせかつ、使用中に容器本体が滑り落下させたり、あるいは内容物を溢出させたりする虞も未然に防止できる、長さ方向が縮小された状態を保つことが可能な容器を提供し、その縮小方法を提唱するものである。
【００１４】
【課題を解決するための手段】
そして本発明長さ方向が縮小された状態を保つことが可能な容器の特徴は、上端の中央部より上方に突出させて飲み口部分を設けた容器本体と、上記飲み口部分を除きかつ、高さ方向の全長に亘って容器本体の内外壁に形成させた水平方向の蛇腹状の襞とよりなり、該蛇腹状襞の上方数段の外径は、その最上段の径が蛇腹状襞の下方の最大外径より小さく、以下下方に向うに従い順次径を拡大させて蛇腹状襞の中央および下方の最大外径と同じ径となるように構成し、上記容器本体の蛇腹状襞部にその上方からの力が加わった際、上方の蛇腹状襞部の内径方向は下方に外径方向は上方に、下方の蛇腹状部襞の内径方向は上方に、外径方向は上下方に力が働き、上記容器本体の長さが縮小された蛇腹状を保たれるようになしたことである。
【００１５】
【効果】
而して、上記容器本体の蛇腹状部にそのほぼ直角方向からの力が加わった際、蛇腹状を構成する襞の一片ｏｒ／ａｎｄ一部の内周には一方方向の力が働き、かつその外周は反対方向の力が働き、長さ方向が縮小された蛇腹状を保つようにしたことである。
【００１６】
なお本発明の容器本体にあって、仮令えばジュースを一部飲んだのち携行あるいは保有する場合、その飲み量に応じた分だけ容器本体を縮小させることができるので、その携行あるいは保存の容積をその分だけ少なくすることができるようにした点もその特徴である。
【００１７】
従って本発明に係わる容器本体を破棄する時、その容積を頗る小さくすることが出来るようなったので、ゴミ箱などに収容できる個数を頗る増大させ得たのである。
【００１８】
またかかる縮小させた容器本体は、度重なる実験でその高さ（容積）が通常のものとの比較で１／３乃至１／４以下となり、これをゴミ箱などに放棄してもそのスペースを格段に少なくすることができ、その搬送量を同時に多量に成しできるから、その回収費や清掃回収の為の人件費を、頗る軽減できたことである。
【００１９】
本発明の容器本体は、その外観の形状の見栄えがよく、使用する者に多大な興味を持たせかつ、容器本体の蛇腹の形状が摩擦止めとなり、使用中に容器本体が滑り落下させたり、あるいは内容物を溢出させたりする虞も未然に防止できるのである。
【００２０】
【実施例】
図で示した本発明の一実施例を説明する。
【００２１】
（１）は容器本体で、その高さ（長さ）方向の外周と内周は蛇腹状（２）となっている。このとき図示した容器では高さ方向の全域に亘って蛇腹状になっているが、その途中あるいは末端部はフラットなものとし、ここに商標や商品内容の表示欄としてもよい。
【００２２】
図２は上記容器本体（１）内に封入されたミネラルウォーターを飲み干してこれを高さ（長さ）方向にその一方からあるいは両方から押し潰した状態を示した。即ちこのような押し潰した状態とする為には本発明の容器本体（１）は秀れた構成を有し秀れた作用を発揮する。
【００２３】
また図２において（３）は容器本体（１）の飲み口部で、その直下方は割球状（４）となっており第２段の径（即ち上記蛇腹状（２）の最上段）（ｄ１）は、容器本体（１）の外径（ｄ）より小さい径とする。続いて第１段の蛇腹状に対し第２段の蛇腹状（２）の径（ｄ２）は、上記第１段の径（ｄ１）より大きく容器本体（１）の外径（ｄ）より小さい。
【００２４】
さらにこれと連なりかつ上記第２段の外径（ｄ２）より大きく容器本体（１）の外径より小さい第３段の径（ｄ３）となるように側面からみて階段状となっているが、勿論これは上記のように３段とすることに限らず適宜の複数段でもよい。
【００２５】
なお容器本体（１）の横断面形状は図１，図２のような正円に限らず図３，図４のように楕円，図５，図６のような角状であってもよい。また高さ（長さ）方向の形状でとしては図１のように円柱の外、図７，図８のように鼓形であっても、またここでは特に図示してないが樽形であってもよい。
【００２６】
さらにこの図８で（５）は容器本体（１）の上部あるいは下部の一方若しくは両方に巻装されたレッテルであり、薄い合成樹脂製のフィルムで造られ、当該商品の商標や内容物の仕様を書述したものであるが、この場合容器本体（１）内の内容物を飲み干し、容器本体（１）を押し潰す場合何らの抵抗なく容器本体（１）と同時に押し潰されるものでなくてはならない。
【００２７】
而して容器本体（１）はブロー成型手段などで製作され、仮令えばミネラルウォーターの封入工場に搬送される。この場合当該容器を適宜の手段で図２のようにその高さ（長さ）を縮小させると一度に多量の容器本体（１）を搬送させることができ、ミネラルウォーターの封入工場で再び引き伸ばすようにする。
【００２８】
但し、現状の多くのミネラルウォーターやジュースの封入作業は、粉末状の樹脂材料から押し出し機を介してパイプ状に材料が流れ、ロータリーマシンと呼ばれる自動成型機で容器本体（１）が造られ、これに自動的にミネラルウォーターが充填され、キャップが被冠され、レッテルが貼られるという一連の一環した連続作業で造られるのが普通である。
【００２９】
さて、いま仮に容器本体（１）内の全てのジュースを飲み干したとする。ここで飲み口部（３）を下方に比較的強力（ｆ）で押す。その力（ｆ）は割球状（４）の内側を介して蛇腹状の第１段の襞（６）の内側の辺り（ｆ１）を押し下げる。この結果該襞（６）の外側辺り（ｆ２）は上方に持ち上る。
【００３０】
こうして蛇腹状（２）の数段（図示のものでは３段）はこのような作用を行うがこの実施例の場合蛇腹状（２）の上部は割球状（４）なって第１段の襞（６）は第２段の襞（７）よりその径（ｄ１）が小さく、この第２段の襞（７）の外径（ｄ２）より第３段の襞（８）の外径（ｄ３）の方が大きく、かつ外径（ｄ３）は容器本体（１）の外径（ｄ）と同径であるから、上記飲み口（３）の力は、図の第４段の襞（９）で、その内側を上方に、外側を下方に押し込む力に変る。
【００３１】
この結果、容器本体（１）の蛇腹状（２）は、その上方の割球状（４）部とそれ以下の部分で〔＞〕字形となり、割球状（４）部の襞（６）乃至（８）の内側の下方に押し下げる力（ｆ１）と、それ以下の襞（９）内側の上方に押し上げる力（ｆ３）がバランスし、同時に割球状（４）部の襞（６）乃至（８）の外側の下方に押し下げる力（ｆ４）がバランスしてその力が容器本体（１）は、該容器本体（１）を元の形状に復帰しようとする力（復元力）を阻害して、この潰された状態を保つことになる。
【００３２】
この結果容器本体（１）は度重なる実験では、その高さ（容積）が１／３乃至１／４以下となり、これをゴミ箱などに放棄してもそのスペースを格段に少なくすることができたのである。
【図面の簡単な説明】
【図１】本発明の一実施例である容器本体の斜視図
【図２】容器本体を潰した状態の一部切欠縦断面図
【図３】他の実施例の丸型横断面図
【図４】他の実施例の楕円型横断面図
【図５】他の実施例の角型横断面図
【図６】他の実施例の多角型横断面図
【図７】他の実施例の彭形斜視図
【図８】同レッテルを巻装した斜視図
【符号の説明】
１， 容器本体
２， 蛇腹状
３， 飲み口部
４， 割球状
５， レッテル
６， 第１段の襞
７， 第２段の襞
８， 第３段の襞
９， 第４段の襞
ｄ， 外径
ｄ１，第１段の径
ｄ２，第２段の径
ｄ３，第３段の径
ｆ， 下方に押し下げる力
ｆ１，襞（６）の内側辺り
ｆ２，襞（６）の外側辺り
ｆ３，上方に押し上げる力
【図１】
0004016248.tif 000002
【図２】
0004016248.tif 000003
【図３】
0004016248.tif 000004
【図４】
0004016248.tif 000005
【図５】
0004016248.tif 000006
【図６】
0004016248.tif 000007
【図７】
0004016248.tif 000008
【図８】
0004016248.tif 000009